(57)【要約】【課題】オフセットインキを用いた印刷画像と印刷画像の階調に応じたニスの印刷をオフセット印刷で行えるようにする。【解決手段】オフセット印刷物１は，オフセット印刷で印刷された印刷物で，用紙１２の上に，プロセスカラー印刷用のオフセットインキを用いた印刷画像１００を印刷した印刷層１０と，ニスを用いた光沢画像１１０を印刷したニス層１１を順に積層し，光沢画像１１０は，印刷画像１００の濃淡に応じた網点面積率の網点で構成されている。【選択図】図１
2019155793.tif 000002
【特許請求の範囲】
【請求項１】
オフセット印刷で印刷された印刷物であって，用紙の上に，オフセットインキを用いた印刷画像を印刷した印刷層と，ニスを用いた光沢画像を印刷したニス層を順に積層し，前記光沢画像の網点を前記印刷画像の濃淡に応じた網点面積率にしていることを特徴とするオフセット印刷物。
【請求項２】
印刷画像をプロセス４色の色に色分解し，前記印刷画像の刷版を制作する工程と，前記印刷画像の濃淡を示すデータから，前記印刷画像の濃淡に応じた網点面積率の網点で構成した光沢画像の刷版を制作する工程を含むプリプレス工程と，前記印刷画像の刷版と前記光沢画像の刷版を用い，オフセット印刷機により前記印刷画像と前記光沢画像を順に印刷するプレス工程を備えたオフセット印刷物の印刷方法。
【発明の詳細な説明】
【技術分野】
【０００１】
本発明は，オフセット印刷の印刷方式で印刷された印刷物であるオフセット印刷物に，メリハリ感や立体感を付与する技術に関する。
【背景技術】
【０００２】
人物，風景および料理などの写真を印刷する際，印刷の階調レンジを広げることで，メリハリ感や立体感を印刷物に付与できる。印刷の階調レンジを広げる周知の慣用技術として，インキの盛り量を上げることが以前より用いられている。しかし，印刷の階調レンジを広げるために，インキの盛り量を上げると，髪の毛の質感，黒いドレスのドレープなど印刷画像の濃部のディテールが失われたり，数千枚程度の印刷で色調安定性が損なわれたり，乾燥不良によるトラブルを誘発したりするなどの問題が生じてしまう。
【０００３】
特に，近年では，つや消しのためのコーティングが施されているマット紙が写真集に採用されることが多くなり，インキの盛り量を上げても，マット紙表面の隙間にインキ（顔料）が沈み込んでしまいメリハリ感や立体感が得られず，このことが写真印刷に係る品質の問題になっている。
【０００４】
インキの盛り量を上げることなく，メリハリ感や立体感を印刷物に付与する手法として，ニスの光沢によってメリハリ感や立体感を印刷物に付与する手法が特許文献１で提案されている。特許文献１で開示されている発明では，ニスを用いた印刷の階調はニスの膜厚によって表現されており，メリハリ感や立体感を印刷物に付与するニスの印刷方式は，グラビア印刷，スクリーン印刷などニスの膜厚を階調に応じ変更できる印刷方式になる。
【０００５】
出版印刷の分野では，網点面積率で階調を表現するオフセット印刷を用いるのが一般的であるため，特許文献１に係る発明を実施しようとすると，写真集などの印刷物をオフセット印刷により印刷する工程と，オフセット印刷以外の印刷方式（例えば，スクリーン印刷）で，メリハリ感や立体感を印刷物に付与するニスをオフセット印刷後の印刷物に印刷する工程が別工程になってしまう。
【０００６】
印刷画像の印刷と印刷画像に同調したニスの印刷を一つの工程で行えるようにした発明として特許文献２が開示されているが，特許文献２で開示されている発明では，ニスの階調はマット調（つや消し）とグロス調（強光沢）の２種類のみで，印刷画像の階調に応じたニスを印刷できない。
【先行技術文献】
【特許文献】
【０００７】
【特許文献１】特開平９−３０１５４号公報
【特許文献２】特開２０１７−３０１９０号公報
【発明の概要】
【発明が解決しようとする課題】
【０００８】
そこで，本発明は，オフセットインキを用いた印刷画像と印刷画像の階調に応じたニスの印刷をオフセット印刷で行えるようにすることを目的とする。
【課題を解決するための手段】
【０００９】
上述した課題を解決する第１発明は，オフセット印刷で印刷された印刷物であって，用紙の上に，オフセットインキを用いた印刷画像を印刷した印刷層と，ニスを用いた光沢画像を印刷したニス層を順に積層し，前記光沢画像の網点を前記印刷画像の濃淡に応じた網点面積率にしていることを特徴とするオフセット印刷物である。
【００１０】
更に，上述した課題を解決する第２発明は，印刷画像をプロセス４色の色に色分解し，前記印刷画像の刷版を制作する工程と，前記印刷画像の濃淡を示すデータから，前記印刷画像の濃淡に応じた網点面積率の網点で構成した光沢画像の刷版を制作する工程を含むプリプレス工程と，前記印刷画像の刷版と前記光沢画像の刷版を用い，オフセット印刷機により前記印刷画像と前記光沢画像を順に印刷するプレス工程を備えたオフセット印刷物の印刷方法である。
【発明の効果】
【００１１】
上述した本発明では，メリハリ感や立体感を印刷物に付与するために印刷する光沢画像を，印刷画像の濃淡に応じた網点面積率の網点で構成し，印刷画像の印刷と光沢画像の印刷の両方をオフセット印刷で行えるようにしている。
【図面の簡単な説明】
【００１２】
【図１】オフセット印刷物の構造を示した図。
【図２】オフセット印刷機を示した図。
【図３】オフセット印刷物の印刷方法に含まれる工程を示した図。
【発明を実施するための形態】
【００１３】
ここから，本発明の好適な実施形態を記載する。なお，以下の記載は本発明の技術的範囲を束縛するものでなく，本発明の理解を助けるために記述するものである。
【００１４】
図１に，本実施形態に係るオフセット印刷物１の構造を示す。本実施形態に係るオフセット印刷物１は，オフセット印刷で印刷された印刷物で，用紙１２の上に，プロセスカラー印刷用のオフセットインキを用いた印刷画像１００を印刷した印刷層１０と，ニスを用いた光沢画像１１０を印刷したニス層１１を順に積層した構成になっている。なお，図１で図示したオフセット印刷物１は，オフセット印刷物１の構成を分かり易くするための図で，実際のオフセット印刷物１を表したものではない。例えば，実際のオフセット印刷物１では，ニス層１１は，ニス層１１の裏側にある印刷画像１００が透けて見える程度の透明性を有している。
【００１５】
オフセット印刷物１の用紙１２は，オフセット印刷機で印刷可能な用紙であればよく，例えば，アート紙，コート紙，マット紙，上質紙または中質紙をオフセット印刷物１の用紙１２に利用できる。
【００１６】
プロセスカラー印刷で用いるオフセットインキとしては，有機顔料や無機顔料などの顔料，ロジン変性フェノールなどの樹脂，石油系などの溶剤と大豆油などの乾性油を含む油分および耐摩擦材などの補助剤を基本成分とする油性オフセットインキに加え，油分を含まないＵＶインキなどの環境対応型オフセットインキを利用できる。
【００１７】
光沢画像１１０の印刷に用いるニスとしては，オフセット印刷で印刷が可能であり，高い光沢が得られるニスを用いることになる。例えば，ロジン変性フェノールを樹脂として含む油性ＯＰニスやアクリル系の樹脂を含むＵＶニスを光沢画像１１０の印刷に用いることができる。
【００１８】
光沢や耐摩耗性を付与するために，スクリーン印刷などにより印刷層１０の表面にニスをコーティングすることは周知の慣用技術である。スクリーン印刷では，最大で２００〜３００μm程度の膜厚でニスを塗布できる。これに対し，オフセット印刷の場合，インキの膜厚は数μm〜数十μmになるため，オフセット印刷により印刷される層である印刷層１０とニス層１１それぞれの膜厚は上記の範囲になる。ニス層１１については，膜厚が厚いほど光沢が得られるので，インキの膜厚は数μmであっても，ニス層１１の膜厚は数十μm（例えば，５０μm程度）にするとよい。
【００１９】
本実施形態に係るオフセット印刷物１において，印刷層１０の上にニス層１１を積層するのは，光沢や耐摩耗性に加え，メリハリ感や立体感を印刷物に付与するためで， メリハリ感や立体感を印刷物に付与するためには，ニスを用いて印刷する光沢画像１１０に，プロセスカラー印刷により印刷する印刷画像１００の濃淡に応じた階調を持たせることが必要になる。オフセット印刷の分野では，絵柄の階調はインキの膜厚ではなく網点面積率で表現されるので，本実施形態では，光沢画像１１０の階調を網点面積率で表現し，印刷画像１００の濃淡に応じた網点面積率の網点で光沢画像１１０は構成されている。
【００２０】
印刷画像１００の濃淡に応じた網点面積率の網点で構成されている光沢画像１１０では，印刷画像１００において濃淡が濃い箇所の上になる光沢画像１１０の箇所の網点面積率は大きくなり，印刷画像１００において濃淡が薄い箇所の上になる光沢画像１１０の箇所の網点面積率は小さくなる。例えば，図１では，印刷画像１００において濃淡が濃い箇所（例えば，髪の毛）に対応する光沢画像１１０の箇所１１０ａの網点面積率は，印刷画像１００において濃淡が薄い箇所（例えば，人の肌）に対応する光沢画像１１０の箇所１１０ｂの網点面積率より大きくなっている。
【００２１】
印刷画像１００の濃淡に応じた網点面積率の網点で光沢画像１１０を構成することで，印刷画像１００において濃淡が薄い箇所の上に印刷されるニスの量は，印刷画像１００において濃淡が薄い箇所に印刷されるニスの量よりも多くなり，オフセット印刷物においては，濃淡が薄い箇所よりも，濃淡が薄い箇所の色の深みが一層増し，オフセット印刷物１を見た時のメリハリ感や立体感が増す。
【００２２】
なお，図１では，プロセスカラー印刷により印刷する印刷画像１００を人物画像としているため，ニスを用いて印刷する光沢画像１１０も人物画像にしているが，印刷画像１００に対応させた光沢画像１１０は印刷画像１００の画像と同じでなくてもよい。光沢画像１１０は，印刷画像１００に所定の画像処理（モザイク処理やぼかし処理）を施した画像であってもよい。
【００２３】
次に，本実施形態に係るオフセット印刷物１の印刷方法について説明する。図２に，本実施形態に係るオフセット印刷物１の印刷に用いるオフセット印刷機２を示し，図３に，本実施形態に係るオフセット印刷物１の印刷方法に含まれる工程を示す。
【００２４】
図２において，オフセット印刷機２が備える５個の印刷ユニット２０それぞれに図示したアンダースコア付きのアルファベットは，印刷ユニット２０で用いるインキを示している。図２において，Ｋはクロ，Ｃはシアン，Ｍはマゼンタ，Ｙはイエロー，そして，ＯＰはオーバープリントを意味し，それぞれの印刷ユニット２０を区別するとき，インキを示すアルファベットを符号に付加する。
【００２５】
印刷画像１００の色数はプロセス４色に限定しないが，本実施形態では，プロセス４色により印刷画像１００をプロセスカラー印刷するものとし，図２で図示したオフセット印刷機２は，プロセスカラー印刷で用いる４つの印刷ユニット２０Ｋ，２０Ｃ，２０Ｍおよび２０Ｙを備える。また，オフセット印刷機２は，ニス印刷で用いる印刷ユニット２０ＯＰを備え，ニス印刷で用いられる印刷ユニット２０ＯＰは，プロセスカラー印刷で最後になるイエロー（Ｙ）に係る絵柄を印刷する印刷ユニット２０Ｙの下流に配置されている。
【００２６】
図２では，オフセット印刷機２の形態をオフセット枚葉印刷機としているが，オフセット輪転印刷機でも本実施形態に係るオフセット印刷物１を印刷できる。また，オフセット枚葉印刷機により用紙の表裏を印刷する場合，図２で図示した５つの印刷ユニット２０がオフセット印刷機２に追加されることになる。
【００２７】
図３で図示したように，図２を用いて説明したオフセット印刷機２を用いて，本実施形態に係るオフセット印刷物１を製造する際，原稿から刷版を制作するプリプレス工程Ｐ１と，プリプレス工程Ｐ１で制作した刷版を用いてオフセット印刷するプレス工程Ｐ２が実行される。
【００２８】
プリプレス工程Ｐ１では，原稿に含まれる印刷画像１００をプロセス４色の色に色分解し，印刷画像１００の刷版を制作する工程Ｐ１０と，印刷画像１００の濃淡を示すデータから，印刷画像１００の濃淡に応じた網点面積率の網点で構成した光沢画像１１０の刷版を制作する工程Ｐ１１が実行される。
【００２９】
印刷画像の刷版を制作する工程Ｐ１０では，原稿に含まれる印刷画像１００の色情報を，プロセス４色（ＹＭＣＫ）のそれぞれの色データに変換する処理が実行され，プロセス４色（ＹＭＣＫ）それぞれの色に対応する色データから，プロセス４色（ＹＭＣＫ）それぞれの色に対応する刷版が制作される。
【００３０】
光沢画像１１０の刷版を制作する工程Ｐ１１において用いられる印刷画像１００の濃淡を示すデータは任意に選定できる。例えば，印刷画像１００をモノトーン画像に変換し，モノトーン画像の階調を印刷画像１００の濃淡を示すデータとして利用できる。また，プロセス４色（ＹＭＣＫ）のうち，任意に選択した色の色データの階調を印刷画像１００の濃淡を示すデータとして利用できる。例えば，Ｋを除く３色（ＹＭＣ）の色データを合成したデータを印刷画像１００の濃淡を示すデータとすることもできるし，Ｋの色データを印刷画像１００の濃淡を示すデータとすることもできる。なお，メリハリ感や立体感をより強調できるように，人手による修正を光沢画像１１０に加えることもできる。
【００３１】
プレス工程Ｐ２では，印刷画像１００の刷版となるプロセス４色（ＹＭＣＫ）のそれぞれの刷版を，刷版の色に対応するオフセット印刷機２の印刷ユニット２０に取り付け，光沢画像１１０の刷版を，ニス印刷を行うオフセット印刷機２の印刷ユニット２０に取り付ける工程Ｐ２０と，オフセット印刷機２を利用して，印刷画像１００の印刷と光沢画像１１０の印刷を順に行うことで，本実施形態に係るオフセット印刷物１を印刷する工程Ｐ２１が実行される。なお，オフセット印刷物１を印刷する工程Ｐ２１では，オフセット印刷機２が備える印刷ユニット２０Ｙ，２０Ｍ，２０Ｃおよび２０Ｋを利用して印刷画像１００が印刷され，オフセット印刷機２が備える印刷ユニット２０ＯＰを利用して光沢画像１１０が印刷される。
【符号の説明】
【００３２】
１    オフセット印刷物
１０  印刷層
１００  印刷画像
１１  ニス層
１１０  光沢画像
１２  用紙
２    オフセット印刷機
２０  印刷ユニット
【図１】
2019155793.tif 000003
【図２】
2019155793.tif 000004
【図３】
2019155793.tif 000005